(57)【特許請求の範囲】
【請求項１】
投入された紙幣を１枚毎に分離して繰出す入金口と、前記入金口に投入された紙幣を一時保留する一時保留部と、入金された紙幣を設定された金種に従って収納する紙幣収納庫と、を備えた紙幣入出金機において、
前記入金口に投入された紙幣を、前記一時保留部に集積している場合に、前記一時保留部に集積された紙幣が、限度枚数を超えたときは、前記一時保留部に集積された紙幣を、全て設定された金種に従って前記紙幣収納庫に仮収納し、
前記仮収納後に、前記一時保留部への紙幣の集積を行うことを特徴とする紙幣入出金機。
【請求項２】
投入された紙幣を１枚毎に分離して繰出す入金口と、出金する紙幣を集積する出金口と、前記入金口に投入された紙幣を一時保留する一時保留部と、入金された紙幣を収納する複数の紙幣収納庫と、を備えた紙幣入出金機において、
前記紙幣収納庫の１つを仮一時保留部に設定して、常時は空にしておき、
前記入金口に投入された紙幣を、前記一時保留部に集積している場合に、前記一時保留部に集積された紙幣が、限度枚数を超えたときは、前記一時保留部に集積された紙幣を、全て前記仮一時保留部に仮収納し、
前記仮収納後に、前記一時保留部への紙幣の集積を行うことを特徴とする紙幣入出金機。
【請求項３】
請求項２において、
紙幣の返却時に、前記一時保留部および前記仮一時保留部の紙幣を、全て前記出金口に集積することを特徴とする紙幣入出金機。
【発明の詳細な説明】
【技術分野】
【０００１】
本発明は、金融機関の店舗の窓口に設置された現金処理装置や、店舗に設置された現金自動預払機等の現金による取引を自動で行う自動取引装置に用いられる紙幣入出金機に関する。
【背景技術】
【０００２】
従来の窓口に設置された現金処理装置の紙幣入出金機は、投入された紙幣を受入れる入金口と、出金する紙幣を集積する出金口と、返却する紙幣を集積する返却口と、入金口に投入された紙幣を鑑別する鑑別部と、鑑別部で鑑別された紙幣を金種別に一時保留する金種別一時保留部と、金種別一時保留部の下に設けられ、入金された紙幣を金種別に収納する金種別カートリッジと、これらの間を接続する搬送路とを備え、入金取引時に、入金口に投入された紙幣を金種別に金種別一時保留部へ搬送して一時保留し、入金確定後に、金種別一時保留部の紙幣をそれぞれの金種別カートリッジに落下させて収納し、紙幣の返却時には、金種別一時保留部に一時保留した紙幣を、それぞれ返却口に搬送して集積している（例えば、特許文献１参照。）。
【特許文献１】特開平６−２５９６３７号公報（段落００１７−００２８、第２図、第３図）
【発明の開示】
【発明が解決しようとする課題】
【０００３】
通常、窓口に設置された現金処理装置の紙幣入出金機においては、一時保留部の最大集積枚数が一取引で取扱える紙幣の限度枚数に設定されている。
このため、上述した従来の技術においては、限度枚数を超える紙幣を取扱う場合には、取引を複数に分割して処理を行う必要があり、入金取引の処理に時間を要すると共に、窓口の係員の負担を増大させるという問題がある。
【０００４】
また、一時保留部を大型化すると、紙幣入出金機が大型化するという問題がある。
本発明は、上記の問題点を解決するためになされたもので、紙幣入出金機を大型化させることなく、限度枚数を超える紙幣を取扱う手段を提供することを目的とする。
【課題を解決するための手段】
【０００５】
上記課題を解決するために、本発明は、投入された紙幣を１枚毎に分離して繰出す入金口と、前記入金口に投入された紙幣を一時保留する一時保留部と、入金された紙幣を設定された金種に従って収納する紙幣収納庫と、を備えた紙幣入出金機において、前記入金口に投入された紙幣を、前記一時保留部に集積している場合に、前記一時保留部に集積された紙幣が、限度枚数を超えたときは、前記一時保留部に集積された紙幣を、全て設定された金種に従って前記紙幣収納庫に仮収納し、前記仮収納後に、前記一時保留部への紙幣の集積を行うことを特徴とする。
【発明の効果】
【０００６】
これにより、本発明は、紙幣入出金機を大型化させることなく、限度枚数を超える紙幣を取込むことができる他、限度枚数を超える紙幣を一取引で取扱うことが可能になり、入金取引の処理に要する時間を短縮することができると共に、窓口の係員の負担を軽減させることができるという効果が得られる。
【発明を実施するための最良の形態】
【０００７】
以下に、図面を参照して本発明による紙幣入出金機の実施例について説明する。
【実施例１】
【０００８】
図１は実施例１の現金処理装置を示すブロック図、図２は実施例１の紙幣入出金機を示すブロック図、図３は実施例１の紙幣入出金機の内部構成を示す概略側面図である。
図１において、１は自動取引装置としての現金処理装置であり、銀行や日本郵政株式会社等の金融機関の支店や郵便局等の店舗の窓口に設置され、窓口の係員が操作して顧客との間での現金による取引処理を自動で行う機能を有している。
【０００９】
２は金融機関のセンタに設置された上位装置としてのホストコンピュータであり、店舗の窓口に設置された現金処理装置１や店舗に設置された図示しない現金自動預払機と、専用回線や電話回線等の通信回線３を介して接続しており、口座開設者である顧客を個別に識別するための顧客ＩＤに対応させて顧客の口座の口座番号等の口座情報やその暗証番号、口座残高等の顧客情報を保有して顧客の口座を管理する。
【００１０】
５は現金処理装置１の主制御部であり、通信回線３を介してホストコンピュータ２と接続しており、現金処理装置１内の各部を制御して入金取引や出金取引等の取引処理等を実行すると共にデータ通信等も制御する。
６は現金処理装置１の主記憶部であり、主制御部５が実行するプログラムやそれに用いる各種のデータおよび主制御部５による処理結果等が格納される。
【００１１】
７は表示部であり、ＬＣＤ等の表示画面を備えており、係員が行う取引業務の業務選択画面や各種の取引のための入力画面等を表示する機能を有している。
８は入力部であり、キーボードやマウス等を備えており、係員が取引業務の選択や各種の取引金額等の入力を行うために使用する。
９は硬貨入出金機であり、入金取引時等に係員が投入した硬貨を受入れ、これを鑑別および計数して収納庫に金種別に収納し、出金取引時等に収納庫から顧客に支払う硬貨を繰出し、これを計数して係員に引渡す機能を有している。
【００１２】
１０は紙幣入出金機であり、入金取引時等に係員が投入した紙幣を受入れ、これを鑑別および計数して収納庫に金種別に収納し、出金取引時等に収納庫から顧客に支払う紙幣を繰出し、これを計数して係員に引渡す機能を有しており、以下に示す構成を備えている。
図２、図３において、１１は紙幣入出金機１０の制御部であり、主制御部５から図示しないインターフェース部を介して送信される各種の指令により、紙幣入出金機１０内の各部を制御して入金取引における紙幣の取込処理や収納処理、返却処理、出金取引における紙幣の排出処理等を実行する機能を有している。
【００１３】
１２は紙幣入出金機１０の記憶部であり、制御部１１が実行するプログラムやそれに用いる各種のデータおよび制御部１１による処理結果等が格納される。
１３は入金口であり、係員が投入した紙幣を受入れ、これを１枚毎に分離して搬送路１４ａへ繰出す分離機構を有している。
１５は出金口であり、搬送路１４ｂにより搬送された、係員に引渡す出金紙幣や返却紙幣等を集積する集積機構を有している。
【００１４】
１６は鑑別部であり、搬送路１４ａまたは１４ｃにより搬送された紙幣に対する各種の鑑別を行う機能、つまり紙幣の真偽や正損、金種等を判別する機能、および重送、連鎖、斜行等の搬送異常を検出する機能を有しており、その鑑別結果を制御部１１へ送出する。
１７は一時保留部であり、入金取引において入金口１３に投入された紙幣で、鑑別部１６により真券と鑑別され、取込処理可能と鑑別された紙幣を金種に関わらず集積して一時保留する集積部であって、鑑別部１６から搬送路１４ｃにより搬送された紙幣を集積すると共に、一時保留している紙幣を１枚毎に分離して搬送路１４ｃへ繰出す分離集積機構を有している。
【００１５】
１８は紙幣収納庫であり、出金に用いる紙幣および／もしくは入金された紙幣を収納する収納庫であって、搬送路１４ｄにより搬送された紙幣を集積して収納すると共に、収納している紙幣を１枚毎に分離して搬送路１４ｄへ繰出す分離集積機構を有している。
本実施例の紙幣収納庫１８は、紙幣収納庫１８ａ〜１８ｄの４つが設けられており、紙幣収納庫１８ａ〜１８ｃには、循環使用に用いる入金紙幣（例えば、万券、千券）を金種別に収納するように設定され、紙幣収納庫１８ｄには、循環使用に用いない入金紙幣（例えば、５千券、２千券）を収納するように設定されている。
【００１６】
１９はリジェクト庫であり、出金取引時等に紙幣収納庫１８ａ〜１８ｃから搬送路１４ｄへ繰出され、搬送路１４ｅ、１４ａにより搬送されて鑑別部１６で搬送異常と鑑別された出金リジェクト紙幣を収納する収納庫であって、搬送路１４ｃ、１４ｆ、１４ｇにより搬送された紙幣を集積する集積機構を有している。
搬送路１４ｈは、入金口１３と鑑別部１６との間の搬送路１４ａの途中で分岐して、搬送路１４ｂに至る搬送路であって、係員に返却する返却紙幣の搬送に用いられる。
【００１７】
本実施例の搬送路１４は、ベルト対またはローラ対で紙幣の表裏両面を挟持して搬送する搬送路であって、搬送路１４の各分岐部には、図示しないブレード等により紙幣の搬送方向を切替える切替機構が設けられている。
上記の現金処理装置１の主記憶部６には、係員が選択した取引業務の入力を受付け、これを基にホストコンピュータ２と交信して係員との間で各種の取引処理業務を実行する機能を有する通常の取引処理プログラムに、図４を用いて説明する入金処理を実行する機能を有するアプリケーションプログラム等が追加された業務実行プログラムが予め格納されており、主制御部５が実行する業務実行プログラムのステップにより本実施例の現金処理装置１のハードウェアとしての各機能手段が形成される。
【００１８】
上記のホストコンピュータ２には、現金処理装置１や図示しない現金自動預払機と交信して本人認証や顧客の口座の入出金を管理する機能等を有する通常の勘定方管理プログラムがインストールされており、ホストコンピュータ２が実行する勘定方管理プログラムのステップにより本実施例のホストコンピュータ２のハードウェアとしての各機能手段が形成される。
【００１９】
上記の紙幣入出金機１０の記憶部１２には、主制御部５からの指令により、入金取引における紙幣の取込処理や収納処理、返却処理、出金取引における紙幣の排出処理を実行する機能を有する通常の紙幣処理プログラムに、図５を用いて説明する追加取込処理を実行する機能を有するアプリケーションプログラム等が追加された紙幣処理実行プログラムが予め格納されており、制御部１１が実行する紙幣処理実行プログラムのステップにより本実施例の紙幣入出金機１０のハードウェアとしての各機能手段が形成される。
【００２０】
また、記憶部１２には、一時保留部１７に集積することが可能な紙幣の最大集積枚数である限度枚数、および各紙幣収納庫１８に収納される紙幣の金種を設定した収納金種設定テーブルが予め設定されて格納される他、一時保留部１７に集積された紙幣の集積枚数を計数するための一時保留枚数カウントエリア、一時保留部１７に集積した紙幣の金種別の取込枚数を金種別に計数するための取込枚数カウントエリア、各紙幣収納庫１８に仮収納された紙幣の仮収納枚数を紙幣収納庫別に計数するための仮収納枚数カウントエリア、および各紙幣収納庫１８に収納された紙幣の紙幣収納庫別の収納枚数を計数するための収納枚数カウントエリアが予め確保されている。
【００２１】
本実施例の収納金種設定テーブルには、紙幣収納庫１８ａ、１８ｂは万券、紙幣収納庫１８ｃは千券、紙幣収納庫１８ｄは５千券および２千券を収納するように設定されている。
また、本実施例の一時保留部１７の限度枚数は２００枚に設定され、入金口１３への投入可能枚数も概ね２００枚程度に設定されている。
【００２２】
以下に、図４および図５に示すフローチャートを用い、ＳおよびＳＡで示すステップに従って本実施例の入金処理における追加取込処理について説明する。
金融機関の店舗の担当者が、始業時等に現金処理装置１へ電源を投入すると、現金処理装置１の主記憶部６に格納されている業務実行プログラムが自動的に起動されると共に、紙幣入出金機１０の記憶部１２に格納されている紙幣処理実行プログラムが自動的に起動される。
【００２３】
Ｓ１（図４）、業務実行プログラムが起動すると、現金処理装置１の主制御部５は、業務実行プログラムによりその表示部７の画面に業務選択画面を表示して待機する。
業務選択画面には、入金取引のための「入金」ボタン、出金取引のための「出金」ボタン等の取引業務を選択するための業務選択ボタンが表示される。
本実施例では、係員は入金取引を選択し、入力部８のキーボード等によって「入金」ボタンを選択する。
【００２４】
Ｓ２（図４）、「入金」ボタンの選択により入金取引が選択されたことを認識した主制御部５は、入金取引における取込処理の実行を指示するための取込指令を、接続子Ｂ１を介して紙幣入出金機１０の制御部１１（図５のステップＳＡ１）へ送信し、その後にステップＳ３へ移行して、ステップＳ３による制御部１１からの取込終了通知の着信を待って待機する。
【００２５】
ＳＡ１（図５）、紙幣入出金機１０の制御部１１は、紙幣処理実行プログラムにより、主制御部５からの入金取引における取込指令および出金取引における排出指令等の着信を待って待機している。
以下の説明においては、入金取引における紙幣入出金機１０の作動について、係員は５００枚の紙幣を入金するために、まず２００枚程度の紙幣を入金口１３に投入し、入金口１３の紙幣の減少に伴って、残余の紙幣を入金口１３に追加投入しながら５００枚の紙幣を入金する場合を例に説明する。
【００２６】
制御部１１は、主制御部５（ステップＳ２（図４））からの取込指令の着信を待って待機しており、接続子Ｂ１を介して主制御部５からの取込指令を受信したときに、記憶部１２の一時保留枚数カウントエリア、取込枚数カウントエリア、仮収納枚数カウントエリアをそれぞれ「０」にしてステップＳＡ２へ移行する。取込指令を受信しない場合は前記の待機を継続する。
【００２７】
ＳＡ２（図５）、取込指令を受信した制御部１１は、入金口１３の図示しない監視センサが、入金口１３に紙幣が存在することを検知するのを待って待機し、係員が入金口１３に投入した紙幣の存在を検知した後に所定の時間が経過したことを確認したときに、紙幣の投入を判定してステップＳＡ３へ移行する。紙幣の存在を検知しない場合は前記の待機を継続する。
【００２８】
ＳＡ３（図５）、紙幣の投入を判定した制御部１１は、投入された紙幣の取込処理を実行するために、入金口１３から紙幣を１枚分離して繰出し、搬送路１４ａにより鑑別部１６へ搬送し、鑑別部１６により紙幣の金種、真偽等を鑑別する。
ＳＡ４（図５）、制御部１１は、鑑別部１６での鑑別結果が、真券のときは、その紙幣を金種に関わらず搬送路１４ｃにより一時保留部１７へ搬送して集積し、記憶部１２の一時保留枚数カウントエリアのカウント数に「１」を加えて一時保留部１７の集積枚数を更新すると共に、鑑別結果に基づいて取込枚数カウントエリアの当該金種のカウント数に「１」を加えて当該金種の取込枚数を更新する。
【００２９】
この場合に、鑑別結果が  偽券や外国紙幣等の入金リジェクト紙幣のときは、その紙幣を係員に返却するために、搬送路１４ｃ、１４ｂにより出金口１５へ搬送して集積する。
ＳＡ５（図５）、入金口１３から繰出した１枚の紙幣の集積を終えた制御部１１は、入金口１３の紙幣の有無を確認し、入金口１３に紙幣が存在するときはステップＳＡ６へ移行する。
【００３０】
入金口１３に紙幣が存在しないときは、取込処理の終了を判定してステップＳＡ８へ移行する。
ＳＡ６（図５）、入金口１３に紙幣が存在することを認識した制御部１１は、記憶部１２に格納されている限度枚数と、一時保留枚数カウントエリアに記録されている一時保留部１７の集積枚数とを読出し、集積枚数が限度枚数未満のときは、ステップＳＡ３へ戻って、ステップＳＡ３〜ＳＡ６による取込処理を継続する。
【００３１】
集積枚数が限度枚数以上のときは、係員が紙幣を追加投入したことによる入金口１３への投入枚数の超過を判定してステップＳＡ７へ移行する。
ＳＡ７（図５）、ステップＳＡ６において、入金口１３への投入枚数の超過を判定した制御部１１は、入金口１３からの紙幣の繰出を停止して、入金口１３に残留する紙幣の追加取込処理を実行する。
【００３２】
すなわち、制御部１１は、一時保留部１７に集積されている紙幣を繰出して、搬送路１４ｃにより鑑別部１６へ搬送し、鑑別部１６で鑑別された金種を基に、記憶部１２の収納金種設定テーブルを参照して当該金種が設定された紙幣収納庫１８（例えば、鑑別された紙幣が千券であれば紙幣収納庫１８ｃ）を特定し、当該紙幣を搬送路１４ａ、１４ｅ、１４ｄにより当該紙幣収納庫１８へ搬送し、当該紙幣収納庫１８の最上位に当該紙幣を仮収納し、記憶部１２の仮収納枚数カウントエリアの当該紙幣収納庫１８のカウント数に「１」を加えて当該紙幣収納庫１８の仮収納枚数を更新する。
【００３３】
そして、一時保留部１７の紙幣を紙幣収納庫１８に金種別に仮収納し、一時保留部１７の図示しない監視センサにより一時保留部１７が空になったことを確認した後に、一時保留枚数カウントエリアのカウント数を「０」にしてステップＳＡ３へ戻り、ステップＳＡ３〜ＳＡ６による取込処理の実行を再開する。
ＳＡ８（図５）、ステップＳＡ５において、取込処理の終了を判定した制御部１１は、記憶部１２の取込枚数カウントエリアの金種別の取込枚数を読出し、取込処理を終えた旨に、読出した金種別の取込枚数を添付した取込終了通知を、接続子Ｃ１を介して主制御部５（図４のステップＳ３）へ送信し、ステップＳＡ９へ移行して、ステップＳＡ９による主制御部５からの返却指令の着信、またはステップＳＡ１０による主制御部５からの収納指令の着信を待って待機する。
【００３４】
Ｓ３（図４）、一方、取込指令の送信後に、制御部１１からの枚数超過通知または取込終了通知の着信を待って待機していた主制御部５は、接続子Ｃ１を介して制御部１１（ステップＳＡ８（図５））からの取込終了通知を受信したときに、取込処理の終了を認識してステップＳ４へ移行する。取込終了通知を受信しない場合は、前記の待機を継続する。
Ｓ４（図４）、取込処理の終了を認識した主制御部５は、表示部７の画面に取込終了通知に添付された金種別の取込枚数、およびその金種別の取込枚数から算出した入金金額、並びに入金金額の確定を指示するための「確認」ボタン、入金取引を中止して取込んだ紙幣の返却を指示するための「返却」ボタンを表示した入金金額確認画面を表示する。
【００３５】
係員は、入力部８のキーボード等によって、入金金額の確定を指示するときは「確認」ボタンを、入金取引を中止して紙幣の返却を指示するときは「返却」ボタンを選択する。
Ｓ５（図４）、この選択入力を受付けた主制御部５は、「確認」ボタンが選択されたときは、入金金額が確定されたことを認識してステップＳ７へ移行する。「返却」ボタンが選択されたときは、取込紙幣の返却を認識してステップＳ６へ移行する。
【００３６】
Ｓ６（図４）、取込紙幣の返却を認識した主制御部５は、入金取引における返却処理の実行を指示するための返却指令を、接続子Ｂ２を介して制御部１１へ送信し、その後にステップＳ８へ移行して、ステップＳ８による制御部１１からの返却終了通知の着信、またはステップＳ９による制御部１１からの収納終了通知の着信を待って待機する。
Ｓ７（図４）、入金金額が確定されたことを認識した主制御部５は、入金取引における収納処理の実行を指示するための収納指令を、接続子Ｂ３を介して制御部１１へ送信し、その後にステップＳ８へ移行して、ステップＳ８、Ｓ９による制御部１１からの返却終了通知または収納終了通知の着信を待って待機する。
【００３７】
ＳＡ９（図５）、一方、取込終了通知の送信後に、主制御部５からの返却指令または収納指令の着信を待って待機していた制御部１１は、接続子Ｂ２を介して主制御部５（ステップＳ６（図４））からの返却指令を受信したときにステップＳＡ１１へ移行する。返却指令を受信しない場合はステップＳＡ１０へ移行する。
ＳＡ１０（図５）、取込終了通知の送信後に、主制御部５からの返却指令または収納指令の着信を待って待機していた制御部１１は、接続子Ｂ３を介して主制御部５（ステップＳ７（図４））からの収納指令を受信したときにステップＳＡ１３へ移行する。収納指令を受信しない場合は、ステップＳＡ９、ＳＡ１０による待機を継続する。
【００３８】
ＳＡ１１（図５）、ステップＳＡ９において、主制御部５からの返却指令を受信した制御部１１は、一時保留部１７に集積されている紙幣、および追加取込処理により紙幣収納庫１８に仮収納した紙幣の返却処理を実行する。
すなわち、制御部１１は、一時保留部１７に集積されている紙幣を繰出して、搬送路１４ｃにより鑑別部１６へ搬送し、鑑別部１６での鑑別後に搬送路１４ａ、１４ｈ、１４ｂにより出金口１５へ搬送して集積する。
【００３９】
このとき、鑑別部１６において紙幣の重送、連鎖等が検出されたとしても、その紙幣はそのまま出金口１５へ搬送して集積する。
また、一時保留部１７の図示しない監視センサにより一時保留部１７が空になったことを確認した後に、紙幣収納庫１８ａに仮収納した紙幣を上から順に繰出して、搬送路１４ｄ、１４ｅ、１４ａにより鑑別部１６へ搬送し、鑑別部１６での鑑別後に搬送路１４ｃ、１４ｂにより出金口１５へ搬送して集積し、記憶部１２の仮収納枚数カウントエリアの紙幣収納庫１８ａのカウント数から「１」を減じてその仮収納枚数を更新し、紙幣収納庫１８ａ仮収納枚数のカウント数が「０」になったことを確認した後に、同様にして順次に紙幣収納庫１８ｂ〜１８ｄに仮収納された紙幣を出金口１５へ搬送して集積する。
【００４０】
このとき、鑑別部１６において紙幣の重送、連鎖等が検出された紙幣は、搬送路１４ｃ、１４ｆ、１４ｇによりリジェクト庫１９へ搬送して集積する。これにより各紙幣収納庫１８に仮収納された紙幣の最後の紙幣に重送等が生じたとしても、投入された紙幣より多い額の紙幣が返却されることを防止することができる。
そして、出金口１５に、取込んだ全ての紙幣を集積し、係員が集積した返却紙幣を取出したことを確認してステップＳＡ１２へ移行する。
【００４１】
ＳＡ１２（図５）、取込んだ紙幣の返却処理を終えた制御部１１は、返却処理を終えた旨の返却終了通知を、接続子Ｃ２を介して主制御部５へ送信し、入金取引における返却処理を終了させ、接続子Ａを介してステップＳＡ１へ戻り、主制御部５からの新たな指令の着信を待って待機する。
ＳＡ１３（図５）、ステップＳＡ１０において、主制御部５からの収納指令を受信した制御部１１は、一時保留部１７に集積されている紙幣、および追加取込処理により各紙幣収納庫１８に仮収納した紙幣の収納処理を実行する。
【００４２】
すなわち、制御部１１は、記憶部１２の収納枚数カウントエリアのそれぞれの紙幣収納庫１８のカウント数に、仮収納枚数カウントエリアの該当する紙幣収納庫１８の仮収納枚数を加えて、それぞれの紙幣収納庫１８の収納枚数を更新し、上記ステップＳＡ１１と同様にして、一時保留部１７に集積されている紙幣を、鑑別部１６で鑑別された金種を基に、当該金種が設定された紙幣収納庫１８へ搬送して当該紙幣を収納し、記憶部１２の収納枚数カウントエリアの当該紙幣収納庫１８のカウント数に「１」を加えて当該紙幣収納庫１８の収納枚数を更新する。
【００４３】
そして、一時保留部１７の紙幣を紙幣収納庫１８に金種別に収納し、一時保留部１７の図示しない監視センサにより一時保留部１７が空になったことを確認した後に、ステップＳＡ１４へ移行する。
ＳＡ１４（図５）、紙幣の収納処理を終えた制御部１１は、収納処理を終えた旨の収納終了通知を、接続子Ｃ３を介して主制御部５へ送信し、入金取引における収納処理を終了させ、接続子Ａを介してステップＳＡ１へ戻り、主制御部５からの新たな指令の着信を待って待機する。
【００４４】
Ｓ８（図４）、一方、返却指令または収納指令の送信後に、制御部１１からの返却終了通知または収納終了通知の着信を待って待機していた主制御部５は、接続子Ｃ２を介して制御部１１（ステップＳＡ１２（図５））からの返却終了通知を受信した場合は、入金取引を終了させ、ステップＳ１へ戻って業務選択画面を表示して待機する。返却終了通知を受信しない場合はステップＳ９へ移行する。
【００４５】
Ｓ９（図４）、返却指令または収納指令の送信後に、制御部１１からの返却終了通知または収納終了通知の着信を待って待機していた主制御部５は、接続子Ｃ３を介して制御部１１（ステップＳＡ１４（図５））からの収納終了通知を受信したときにステップＳ１０へ移行する。収納終了通知を受信しない場合は、ステップＳ８、Ｓ９による待機を継続する。
【００４６】
Ｓ１０（図４）、収納終了通知を受信した主制御部５は、上記ステップＳ４において確定された入金金額を添付した入金取引終了通知を、通信回線３を介してホストコンピュータ２へ送信し、紙幣の入金取引を終了させ、ステップＳ１へ戻って業務選択画面を表示して待機する。
このようにして、本実施例の追加取込処理が付加された入金取引が行われる。
【００４７】
上記のように、本実施例の入金取引における取込処理においては、一時保留部１７への取込枚数が限度枚数になったときに、追加取込処理によって、一時保留部１７に集積された紙幣を金種別に該当する紙幣収納庫に仮収納し、空になった一時保留部１７への追加の取込処理を実行するので、入金口１３に限度枚数を超える紙幣が投入されたとしても、これらの紙幣を一取引で取扱うことが可能になり、入金取引の処理に要する時間を短縮することができると共に、窓口の係員の負担を軽減させることができる。
【００４８】
また、限度枚数を超える紙幣を取込む際に、既存の紙幣収納庫１８に一時保留部１７の紙幣を仮収納するので、紙幣入出金機１０を大型化させることなく、限度枚数を超える紙幣を取込むことが可能になる。
なお、本実施例では、一時保留部１７への取込枚数が限度枚数になったときに、制御部１１が自動的に追加取込処理を実行するとして説明したが、ステップＳＡ６において、投入枚数の超過を判定したときに、一時保留部１７の集積枚数が限度枚数に達した旨に取込んだ金種別の取込枚数を添付した枚数超過通知を、主制御部５へ送信し、主制御部５は、表示部７の画面に、一時保留部１７の集積枚数が限度枚数に達した旨の文言および取込処理の継続を指示するための「継続」ボタン、取込処理の終了を指示するための「終了」ボタンを表示した取込継続要否選択画面を表示して係員からの選択入力を受付け、「継続」ボタンが選択されたときは、追加取込指令を制御部１１へ送信し、これを受信した制御部が、上記ステップＳＡ７による追加取込処理を実行し、「終了」ボタンが選択されたときは、取込処理を終了させ、ステップＳ４における入金金額確認画面に枚数超過通知に添付された金種別の取込枚数や入金金額等を表示してその後のステップを実行するようにしてもよい。
【００４９】
また、本実施例では、入金口１３の紙幣の減少に伴って、係員が残余の紙幣を入金口１３に追加投入しながら入金処理をするようにしたが、入金口１３の紙幣が空になる毎に、表示部７の画面に「追加」ボタンを表示し、係員に対し追加投入すべき紙幣があるか否かを選択させるようにし、入金口１３に紙幣を追加投入し「追加」ボタンが押下されたら入金口１３からの取込を再開するようにしてもよい。
【００５０】
更に、本実施例では、一時保留部１７に集積された紙幣が限度枚数になったときに、その紙幣を金種別に各紙幣収納庫１８に仮収納するとして説明したが、投入される紙幣の枚数が多く、数回に渡って追加取込処理を実行すると、その途中で紙幣収納庫１８の１つがフル状態になって、追加取込処理における仮収納ができなくなる場合がある。
この場合には、入金取引を打ち切り、上記ステップＳＡ１３と同様にして、取込んだ紙幣を全て返却するようにしてもよく、一時保留部１７に集積した紙幣のみを返却し、既に紙幣収納庫１８に仮収納した紙幣は確定して入金取引を行うようにしてもよい。
【００５１】
また、上記ステップＳ１において、入金取引が選択されたときに、主制御部５が制御部１１から各紙幣収納庫１８の収納枚数を取得して、余裕の少ない紙幣収納庫１８が存在する場合には、表示部７の画面に、追加取込処理を縮退する旨の表示をするようにしてもよく、各紙幣収納庫１８の収納枚数から算出した金種別の許容枚数（例えば、万券６００枚まで、千券４００枚まで）を表示して、係員に通知するようにしてもよい。
【００５２】
以上説明したように、本実施例では、入金口に投入された紙幣を一時保留部に集積している場合に、一時保留部に集積された紙幣が限度枚数を超えたときは、一時保留部に集積された限度枚数の紙幣を全て紙幣収納庫に仮収納し、その後に空になった一時保留部への紙幣の集積を再開するようにしたことによって、紙幣入出金機を大型化させることなく、限度枚数を超える紙幣を取込むことができる他、限度枚数を超える紙幣を一取引で取扱うことが可能になり、入金取引の処理に要する時間を短縮することができると共に、窓口の係員の負担を軽減させることができる。
【実施例２】
【００５３】
図６は実施例２の紙幣入出金機の内部構成を示す概略側面図、図７は実施例２の紙幣入出金機の追加取込処理を示すフローチャートである。
なお、上記各実施例１と同様の部分は、同一の符号を付してその説明を省略する。
図６において、２１は仮一時保留部であり、一時保留部１７に限度枚数以上の紙幣が集積された後の追加取込処理のときに、一時保留部１７の紙幣を仮収納する収納庫であって、常時は空の状態にされている。
【００５４】
この仮一時保留部２１は、４つの紙幣収納庫１８の内の１つが設定されており、以下の説明においては、万券を収納する紙幣収納庫１８ａ、１８ｂの一方（本実施例では、紙幣収納庫１８ａ）が仮一時保留部２１に設定されているとして説明する。
本実施例の現金処理装置１の主記憶部６には、上記実施例１と同様の業務実行プログラムが予め格納されており、主制御部５が実行する業務実行プログラムのステップにより本実施例の現金処理装置１のハードウェアとしての各機能手段が形成される。
【００５５】
本実施例のホストコンピュータ２には、上記実施例１と同様の通常の勘定方管理プログラムがインストールされており、ホストコンピュータ２が実行する勘定方管理プログラムのステップにより本実施例のホストコンピュータ２のハードウェアとしての各機能手段が形成される。
本実施例の紙幣入出金機１０の記憶部１２には、上記実施例１と同様の通常の紙幣処理プログラムに、図７を用いて説明する追加取込処理を実行する機能を有するアプリケーションプログラム等が追加された紙幣処理実行プログラムが予め格納されており、制御部１１が実行する紙幣処理実行プログラムのステップにより本実施例の紙幣入出金機１０のハードウェアとしての各機能手段が形成される。
【００５６】
また、記憶部１２には、上記実施例１と同様の一時保留部１７の限度枚数が予め設定されて格納される他、実施例１と同様の一時保留枚数カウントエリア、取込枚数カウントエリア、および収納枚数カウントエリアが予め確保されており、実施例１の仮収納枚数カウントエリアは省略されている。
本実施例の収納金種設定テーブルには、紙幣収納庫１８ｂは万券、紙幣収納庫１８ｃは千券、紙幣収納庫１８ｄは５千券および２千券を収納するように設定され、紙幣収納庫１８ａ（仮一時保留部２１）の金種は設定されていない。
【００５７】
また、本実施例の限度枚数および入金口１３への投入可能枚数は、上記実施例１と同様に設定されている。
以下に、図７に示すフローチャートを用い、ＳＤで示すステップに従って本実施例の追加取込処理について説明する。
本実施例における現金処理装置１の主制御部５による入金処理の作動は、実施例１の図４に示す作動と同様であるので、その説明を省略する。
【００５８】
また、本実施例のステップＳＤ１（図７）〜ＳＤ６（図７）の作動は、上記実施例１のステップＳＡ１（図５）〜ＳＡ６（図５）の作動と同様であるのでその説明を省略する。
ＳＤ７（図７）、ステップＳＤ６において、入金口１３への投入枚数の超過を判定した制御部１１は、入金口１３からの紙幣の繰出を停止して、入金口１３に残留する紙幣の追加取込処理を実行する。
【００５９】
すなわち、制御部１１は、一時保留部１７に集積されている紙幣を繰出して、搬送路１４ｃにより鑑別部１６へ搬送し、鑑別部１６での鑑別後に、その紙幣を搬送路１４ａ、１４ｅ、１４ｄにより仮一時保留部２１（紙幣収納庫１８ａ）へ搬送して仮収納する。
そして、一時保留部１７の紙幣を仮一時保留部２１に金種に関わらず仮収納し、一時保留部１７の図示しない監視センサにより一時保留部１７が空になったことを確認した後に、一時保留枚数カウントエリアのカウント数を「０」にしてステップＳＤ３へ戻り、ステップＳＤ３〜ＳＤ６による取込処理の実行を再開する。
【００６０】
その後のステップＳＤ８（図７）〜ＳＤ１０（図７）の作動は、上記実施例１のステップＳＡ８（図５）〜ＳＡ１０（図５）の作動と同様であるのでその説明を省略する。
ＳＤ１１（図７）、ステップＳＤ９において、主制御部５からの返却指令を受信した制御部１１は、一時保留部１７に集積されている紙幣、および追加取込処理により仮一時保留部２１に仮収納した紙幣の返却処理を実行する。
【００６１】
すなわち、制御部１１は、実施例１のステップＳＡ１１と同様にして、一時保留部１７に集積されている紙幣を、鑑別部１６での鑑別後に出金口１５へ搬送して集積する。
このとき、鑑別部１６において紙幣の重送、連鎖等が検出されたとしても、その紙幣はそのまま出金口１５へ搬送して集積する。
また、一時保留部１７の図示しない監視センサにより一時保留部１７が空になったことを確認した後に、仮一時保留部２１に仮収納した紙幣を上から順に繰出して、搬送路１４ｄ、１４ｅ、１４ａにより鑑別部１６へ搬送し、鑑別部１６での鑑別後に搬送路１４ｃ、１４ｂにより出金口１５へ搬送して集積する。
【００６２】
このとき、鑑別部１６において紙幣の重送、連鎖等が検出されたとしても、その紙幣はそのまま出金口１５へ搬送して集積する。
そして、出金口１５に、取込んだ全ての紙幣を集積し、係員が集積した返却紙幣を取出したことを確認してステップＳＤ１２へ移行する。
ＳＤ１２（図７）、取込んだ紙幣の返却処理を終えた制御部１１は、返却処理を終えた旨の返却終了通知を、接続子Ｃ２を介して主制御部５へ送信し、入金取引における返却処理を終了させ、接続子Ｄを介してステップＳＤ１へ戻り、主制御部５からの新たな指令の着信を待って待機する。
【００６３】
ＳＤ１３（図７）、ステップＳＤ１０において、主制御部５からの収納指令を受信した制御部１１は、一時保留部１７に集積されている紙幣、および追加取込処理により仮一時保留部２１に仮収納した紙幣の収納処理を実行する。
すなわち、制御部１１は、一時保留部１７に集積されている紙幣を繰出して、搬送路１４ｃにより鑑別部１６へ搬送し、鑑別部１６で鑑別された金種を基に、記憶部１２の収納金種設定テーブルを参照して当該金種が設定された紙幣収納庫１８（例えば、鑑別された紙幣が万券であれば紙幣収納庫１８ｂ）を特定し、当該紙幣を搬送路１４ａ、１４ｅ、１４ｄにより当該紙幣収納庫１８へ搬送して収納し、記憶部１２の収納枚数カウントエリアの当該紙幣収納庫１８のカウント数に「１」を加えて当該紙幣収納庫１８の収納枚数を更新する。
【００６４】
また、一時保留部１７の紙幣を紙幣収納庫１８に金種別に収納し、一時保留部１７の図示しない監視センサにより一時保留部１７が空になったことを確認した後に、仮一時保留部２１に仮収納した紙幣を上から順に繰出して、搬送路１４ｄ、１４ｅ、１４ａにより鑑別部１６へ搬送し、鑑別部１６で鑑別された金種を基に、記憶部１２の収納金種設定テーブルを参照して当該金種が設定された紙幣収納庫１８を特定し、当該紙幣を搬送路１４ｃ、１４ｆ、１４ｄにより当該紙幣収納庫１８へ搬送して収納し、記憶部１２の収納枚数カウントエリアの当該紙幣収納庫１８のカウント数に「１」を加えて当該紙幣収納庫１８の収納枚数を更新する。
【００６５】
そして、仮一時保留部２１の紙幣を紙幣収納庫１８に金種別に収納し、仮一時保留部２１の図示しない監視センサにより仮一時保留部２１が空になったことを確認した後に、ステップＳＤ１４へ移行する。
ＳＤ１４（図７）、紙幣の収納処理を終えた制御部１１は、収納処理を終えた旨の収納終了通知を、接続子Ｃ３を介して主制御部５へ送信し、入金取引における収納処理を終了させ、接続子Ｄを介してステップＳＤ１へ戻り、主制御部５からの新たな指令の着信を待って待機する。
【００６６】
その後の主制御部５のステップＳ８（図４）〜ステップＳ１０（図４）の作動は、実施例１と同様である。
このようにして、本実施例の追加取込処理が付加された入金取引が行われる。
上記のように、本実施例の入金取引における取込処理においては、一時保留部１７への取込枚数が限度枚数になったときに、追加取込処理によって一時保留部１７に集積された紙幣を仮一時保留部２１に仮収納し、空になった一時保留部１７への追加の取込処理を実行するので、入金口１３に限度枚数を超える紙幣が投入されたとしても、これらの紙幣を一取引で取扱うことができ、入金取引の処理に要する時間を短縮することができると共に、窓口の係員の負担を軽減させることができる他、投入された紙幣を一時保留部１７および常時は空の仮一時保留部２１に集積しておき、返却処理において、一時保留部１７および仮一時保留部２１に集積された投入紙幣をそのまま係員に返却することが可能となり、投入された紙幣をそのまま返却する現物返しが要求される場合においても容易に対応することができる。
【００６７】
また、既存の紙幣収納庫１８の１つを常時は空の仮一時保留部２１に設定しておき、限度枚数を超える紙幣を取込む際に、仮一時保留部２１に一時保留部１７の紙幣を仮収納するので、紙幣入出金機１０を大型化させることなく、限度枚数を超える紙幣を取込むことが可能になる。
以上説明したように、本実施例では、上記実施例１と同様の効果に加えて、紙幣の返却時に、一時保留部および仮一時保留部の紙幣を全て出金口に集積するようにしたことによって、一時保留部および仮一時保留部に集積された投入紙幣をそのまま係員に返却することが可能となり、現物返しが要求される場合においても、紙幣入出金機を大型化させることなく容易に対応することができる。
【００６８】
なお、上記各実施例においては、紙幣入出金機が装備される自動取引装置は現金処理装置であるとして説明したが、店舗に設置された自動取引装置としての現金自動預払機に装備しても、上記と同様の効果を得ることができる。
また、上記各実施例においては、紙幣を取扱う場合を例に説明したが、硬貨入出金機等の硬貨を取扱う場合に適用することも可能である。
【図面の簡単な説明】
【００６９】
【図１】実施例１の現金処理装置を示すブロック図
【図２】実施例１の紙幣入出金機のを示すブロック図
【図３】実施例１の紙幣入出金機の内部構成を示す概略側面図
【図４】実施例１の現金処理装置の入金処理を示すフローチャート
【図５】実施例１の紙幣入出金機の追加取込処理を示すフローチャート
【図６】実施例２の紙幣入出金機の内部構成を示す概略側面図
【図７】実施例２の紙幣入出金機の追加取込処理を示すフローチャート
【符号の説明】
【００７０】
１    現金処理装置
２    ホストコンピュータ
３    通信回線
５    主制御部
６    主記憶部
７    表示部
８    入力部
９    硬貨入出金機
１０  紙幣入出金機
１１  制御部
１２  記憶部
１３  入金口
１４、１４ａ〜１４ｈ  搬送路
１５  出金口
１６  鑑別部
１７  一時保留部
１８、１８ａ〜１８ｄ  紙幣収納庫
１９  リジェクト庫
２１  仮一時保留部（紙幣収納庫）
【図１】
0005169474.tif 000002
【図２】
0005169474.tif 000003
【図３】
0005169474.tif 000004
【図４】
0005169474.tif 000005
【図５】
0005169474.tif 000006
【図６】
0005169474.tif 000007
【図７】
0005169474.tif 000008